(57)【要約】【課題】  バインド線を用いることなく電線を固定でき、且つ電線が脱落することを十分に防止可能なストッパ付きピン碍子を提供する。【解決手段】  収容する電線の軸方向に沿って表面の一部を開口し、且つ開口から底面にかけて少なくとも一部で屈曲した壁面で形成され、開口から挿入される電線を底面に当接して収容可能な溝部を有する碍子本体と、溝部に挿入されて溝部から脱落しようとする電線の脱落方向に存在する壁面に当接して溝部を封鎖するストッパとを備える。【選択図】  図１
2015088404.tif 000002
【特許請求の範囲】
【請求項１】
収容する電線の軸方向に沿って表面の一部を開口し、且つ開口から底面にかけて少なくとも一部で屈曲した壁面で形成され、開口から挿入される電線を底面に当接して収容可能な溝部を有する碍子本体と、溝部に挿入されて溝部から脱落しようとする電線の脱落方向に存在する壁面に当接して溝部を封鎖するストッパとを備えることを特徴とするストッパ付きピン碍子。
【請求項２】
溝部は、屈曲位置から垂直方向に延びる壁面に隣接する底面を有することを特徴とする請求項１に記載のストッパ付きピン碍子。
【請求項３】
ストッパは、挿入方向の後端縁から挿入方向に交差する方向に突出し、碍子本体の表面に当接することでストッパの挿入方向への移動を規制する突片を有することを特徴とする請求項１又は２に記載のストッパ付きピン碍子。
【請求項４】
ストッパは、弾性材料で形成されて溝部への挿入により壁面に当接する面から膨出し、溝部への挿入とともに壁面に当接することで弾性変形する膨出部を有することを特徴とする請求項１乃至３のいずれか一項に記載のストッパ付きピン碍子。
【発明の詳細な説明】
【技術分野】
【０００１】
本発明は、バインド線を用いずに電線を固定するストッパ付きピン碍子に関する。
【背景技術】
【０００２】
一般的に、電柱の上に張り巡らされている高圧配電線（以下、「電線」という）は、電柱の腕金に取り付けられた高圧ピン碍子（以下、「ピン碍子」という）によって支持されている。
【０００３】
電線張設時には、まず、ピン碍子の下部に設けられたボルト状のピンを電柱の腕金の穴に差し込み、ピン碍子を腕金に取り付ける。次に、ピン碍子の上部に設けられた凹みに電線を水平に沿わせ、絶縁体で被覆されている被覆巻付バインド線（以下、「バインド線」という）を電線と凹みとに巻き付けることにより、電線をピン碍子に堅固に支持している。
【０００４】
しかしながら、バインド線が、通常、金属線の周方向を絶縁材で被覆して形成されていることから、径年劣化によって内部の金属線が露出することがあり得る。すると、露出した金属線が風雨に晒されるため、金属線に錆が発生し、バインド線が断線することがあった。断線したバインド線が腕金等に落ちると、短絡等の事故に繋がることがあった。
【０００５】
そこで、ピン碍子に凹溝と凹溝に連続する貫通孔とを設け、凹溝に挿入された電線が、ピン碍子をよじることで貫通孔の位置に移動されて、保持手段により移動不可能に支持されるピン碍子が知られている（例えば、特許文献１参照）。特許文献１に記載のピン碍子では、バインド線を用いることなく電線をピン碍子で支持することが可能になっている。
【先行技術文献】
【特許文献】
【０００６】
【特許文献１】特開２００７−２１４０２３号公報
【発明の概要】
【発明が解決しようとする課題】
【０００７】
特許文献１におけるピン碍子は、バインド線を用いることなく電線をピン碍子に固定できる点で有用である。さらに、線路に並設される複数のピン碍子のそれぞれの高低差や、線路の角度により、ピン碍子から脱落する方向へ電線に力が加わったとしても、電線が脱落することを十分に防止できれば非常に有用である。
【０００８】
本発明は、斯かる事情に鑑み、バインド線を用いることなく電線を固定でき、且つ電線が脱落することを十分に防止可能なストッパ付きピン碍子を提供することを課題とする。
【課題を解決するための手段】
【０００９】
本発明に係るストッパ付きピン碍子は、収容する電線の軸方向に沿って表面の一部を開口し、且つ開口から底面にかけて少なくとも一部で屈曲した壁面で形成され、開口から挿入される電線を底面に当接して収容可能な溝部を有する碍子本体と、溝部に挿入されて溝部から脱落しようとする電線の脱落方向に存在する壁面に当接して溝部を封鎖するストッパとを備えることを特徴とする。
【００１０】
本発明に係るストッパ付きピン碍子によれば、碍子本体は、収容する電線の軸方向に、溝部の開口を合わせて設置される。電線は、このように設置された碍子本体の開口から、径方向を挿入方向として溝部に収容される。このとき、電線は、開口から底部にかけて屈曲する壁面に沿って底面に当接するように移動されることで溝部に収容される。
【００１１】
溝部に収容された電線は、線路の角度や、線路に沿って並設されるピン碍子の高低差等を要因として、壁面に沿って碍子本体から脱落しようとする。具体的に、脱落しようとする電線は、底面に隣接する壁面に沿って移動しようとする。このとき、壁面が開口から底面にかけて少なくとも一部で屈曲しているので、移動しようとする電線は、移動方向（脱落方向）に存在し、且つ屈曲位置に隣接する壁面に衝突する。これにより、電線は、移動方向に存在し、且つ屈曲位置に隣接する壁面に脱落しようとする力を作用させる。ここで、電線が衝突する壁面に当接しつつ、開口を封鎖するストッパが溝部に挿入されていると、電線の離脱しようとする力は、電線の衝突によりストッパに作用する。すると、ストッパは電線の衝突した方向に向けて移動しようとするが、ストッパが移動方向に存在する（当接する）壁面により支持されるので、ストッパは、挿入された位置から動くことはない。したがって、ストッパが溝部から脱落することを防止できる。すなわち、バインド線を用いることなく電線を固定でき、電線がピン碍子から脱落することを十分に防止できる。
【００１２】
このようなストッパ付きピン碍子の一態様として、溝部は、屈曲位置から垂直方向に延びる壁面に隣接する底面を有してもよい。
【００１３】
かかる構成によれば、電線は、屈曲位置から垂直方向に延びる壁面に沿って移動し、底面に当接することで、底面に隣接する壁面により水平方向への移動を規制される。また、電線は、自重により、底面に当接する状態に維持される。このように、電線が底面に当接する状態で位置決めされることで、ストッパの挿入において、ストッパの挿入位置に電線が移動することがない。したがって、電線を碍子本体に固定する作業の作業性が向上する。
【００１４】
また、このようなストッパ付きピン碍子の一態様として、ストッパは、挿入方向の後端縁から挿入方向に交差する方向に突出し、碍子本体の表面に当接することでストッパの挿入方向への移動を規制する突片を有してもよい。
【００１５】
かかる構成によれば、突片が碍子本体の表面に当接することで、ストッパは、挿入方向に移動することを規制される。これにより、ストッパを挿入しすぎることを防止でき、作業性が向上する。
【００１６】
また、このようなストッパ付きピン碍子の一態様として、ストッパは、弾性材料で形成されて溝部への挿入により壁面に当接する面から膨出し、溝部への挿入とともに壁面に当接することで弾性変形する膨出部を有してもよい。
【００１７】
かかる構成によれば、ストッパが溝部に挿入されることで、膨出部は、溝部の表面に当接することで弾性変形して押しつぶされる。これにより、溝部に挿入されたストッパと壁面との間の摩擦係数を高くすることができ、ストッパが溝部から脱落することをより防止することができる。
【発明の効果】
【００１８】
以上の如く、本発明に係るストッパ付きピン碍子によれば、バインド線を用いることなく電線を固定でき、且つ電線が脱落することを十分に防止できるというすぐれた効果を奏する。
【図面の簡単な説明】
【００１９】
【図１】本発明の一実施形態に係る電線が固定されたストッパ付きピン碍子の概略斜視図を示す。
【図２】同実施形態に係るピン碍子を示し、図２（ａ）は、ピン碍子の概略斜視図を示し、図２（ｂ）は、図２（ａ）におけるＡ矢示図を示す。
【図３】同実施形態に係るストッパを示し、図３（ａ）は、ストッパの概略斜視図を示し、図３（ｂ）は、図３（ａ）におけるＢ矢示図を示す。
【図４】同実施形態に係る電線に取り付けられたスペーサの概略斜視図を示す。
【図５】同実施形態に係る電線が固定されたストッパ付きピン碍子を示し、図５（ａ）は、電線が固定されたストッパ付きピン碍子の概略斜視図を示し、図５（ｂ）は、図５（ａ）のＣ矢示図を示す。
【発明を実施するための形態】
【００２０】
以下、本発明に係るストッパ付きピン碍子における一実施形態について、図１乃至図４を参照して説明する。
【００２１】
図１に示すように、本実施形態に係るストッパ付きピン碍子１は、収容する電線２の軸方向に沿って表面の一部を開口し、且つ開口から底面１０３にかけて少なくとも一部で屈曲した壁面１０１，１０２で形成され、開口から挿入される電線２を底面１０３に当接して収容可能な溝部１００を有する碍子本体１０と、碍子本体１０を電柱の腕金に取り付ける棒状部１１と、溝部１００に挿入されて溝部１００から脱落しようとする電線２の脱落方向に存在する壁面１０２に当接して溝部を封鎖するストッパ３０と、電線２の周方向の一部を被覆するように取り付けられるスペーサ２０とを備える。なお、碍子本体１０及び棒状部１１で、ピン碍子を構成する。
【００２２】
碍子本体１０は、剛性を有する絶縁材料で形成され、例えば、陶器製で円柱状に形成される。碍子本体１０は、懸架される電線２を貫通した状態で固定可能に設けられる。
【００２３】
ここで、図２（ａ）及び図２（ｂ）を参照して、碍子本体１０に電線２を貫通した状態で収容する溝部１００について詳述する。溝部１００は、収容する電線２の軸方向に沿って形成される壁面１０１，１０２と、壁面１０１及び壁面１０２のそれぞれの端縁に隣接して設けられる底面１０３とを有する。壁面１０１及び壁面１０２は、碍子本体１０の上面及び側面で溝部１００の開口を形成する。特に、碍子本体１０の上面に形成された開口は、電線２の径方向から壁面１０１及び壁面１０２の間に挿入可能な挿入口として機能する。本実施形態において、溝部１００は、屈曲位置から垂直方向に延びる壁面１０１，１０２に隣接する底面１０３を有する。
【００２４】
壁面１０１は、全体として、収容する電線２の軸方向に沿って、碍子本体１０を貫通して形成される。そして、壁面１０１は、段状に形成される。具体的に、壁面１０１は、碍子本体１０の上面から垂下し、垂下した先端で上方を向く面を形成するように水平方向に屈曲し、さらに水平方向に延びた先端で垂直方向に屈曲し、その先端で底面１０３の幅方向一端縁に接続される。
【００２５】
壁面１０２もまた、壁面１０１と同様に、全体として収容する電線２の軸方向に沿って、碍子本体１０を貫通して形成され、且つ段状に形成される。具体的に、底面１０３は、碍子本体１０の上面から垂下し、垂下した先端で下方を向く面を形成するように水平方向に屈曲し、さらに水平方向に延びた先端で垂直方向に屈曲し、その先端で底面１０３の幅方向他端縁に接続される。壁面１０２は、壁面１０１との間で、スペーサ２０を挿通した状態で、開口から底面までスペーサ２０を移動可能な幅をもって位置される。
【００２６】
底面１０３は、碍子本体１０を貫通して、水平方向に延びる面として形成される。また、底面１０３は、電線２を挿通する方向を挿通方向、収容した電線２の径方向を幅方向として、幅方向一端で壁面１０１に接続される。そして、底面１０３は、幅方向他端で壁面１０２に接続される。さらに、底面１０３は、幅方向で、電線２（筒状に形成されたスペーサ２０の軸方向中央の径）よりも大きな幅で形成される。
【００２７】
棒状部１１は、剛性材料で形成され、例えば、金属で形成される。棒状部１１は、碍子本体１０の下面に長手方向一端を接続され、他端で電柱の腕金に取り付けられることで、碍子本体１０を電柱に固定する。棒状部１１は、例えば、ボルトであり、他端を電柱の腕金に貫通した状態でナットにより締結されることにより、電柱の腕金に固定される。
【００２８】
図３（ａ）及び図３（ｂ）に示すように、ストッパ３０は、板状のストッパ本体３０１と、挿入方向の後端縁から挿入方向に交差する方向に突出し、碍子本体１０の表面に当接することでストッパ３０の挿入方向への移動を規制する突片３０２と、ストッパ本体３０１を把持するための把持部３０３と、弾性材料で形成されて溝部１００への挿入により壁面１０１，１０２に当接する面から膨出し、溝部１００への挿入とともに壁面１０１，１０２に当接することで弾性変形する膨出部３０４とを有する。
【００２９】
ストッパ本体３０１は、弾性材料で形成され、例えばゴムで形成される。ストッパ本体３０１は、壁面１０１において上方を向く水平方向に延びる面と、壁面１０２において下方を向く水平方向に延びる面との間の幅に合わせた厚さを有する。また、ストッパ本体３０１は、壁面１０１において碍子本体１０の上面から垂下される面から、壁面１０２において水平方向に延びる面と底面１０３とに接続される垂直な面までの長さに合わせた幅を有する。そして、ストッパ本体３０１は、電線２の軸方向に沿う壁面１０１，１０２の長さに対して、電線２の脱落を防止するのに十分な長さを有する。例えば、ストッパ本体３０１は、電線２の軸方向に沿う壁面１０１の長さと同じ長さを有する。
【００３０】
突片３０２は、ストッパ本体３０１の挿入方向後端縁から、幅方向に突出する。本実施形態において、突片３０２は、挿入方向に対して電線２を収容する側（底面１０３の側）に突出する。そして、突片３０２は、板状に突出し、ストッパ本体３０１を溝部１００に挿入した状態で碍子本体１０の表面に当接する。
【００３１】
把持部３０３は、ストッパ本体３０１の挿入方向後端縁から挿入方向に沿って突出する。把持部３０３は、例えば、間接活線工法でストッパ本体３０１を溝部１００に挿入する際に、間接活線工具で把持可能な長さで突出して形成される。
【００３２】
膨出部３０４は、ストッパ本体３０１の厚さ方向の面の一部を膨出して形成される。本実施形態において、膨出部３０４は、ストッパ本体３０１の挿入方向先端に、幅方向に沿って膨出して形成される。膨出部３０４は、ストッパ本体３０１の溝部１００への挿入により壁面１０２に押しつぶされることで、壁面１０１にストッパ本体３０１を圧着する。これにより、膨出部３０４は、ストッパ３０が溝部１００に挿入された状態で、ストッパ本体３０１の挿入方向に逆の方向へのストッパ３０の脱落を防止する。
【００３３】
図４に示すように、スペーサ２０は、電線２の一部の外面に巻き付けられるスペーサ本体２０１と、スペーサ２０１の両端に設けられるつば部２０２，２０２とを有する。
【００３４】
スペーサ本体２０１は、筒状に形成され、電線２と同じ径の内径を有し、底面１０３の幅よりも小さい外径を有する。そして、スペーサ本体２０１は、底面１０３の貫通方向の長さに合わせて形成される。このようなスペーサ本体２０１は、電線２の外面の周方向に巻き付けられることで、電線２の外面に係止される。
【００３５】
つば部２０２，２０２のそれぞれは、スペーサ本体２０１と同じ内径で、スペーサ本体２０１よりも拡径された外径を有する。より具体的に、つば部２０２，２０２のそれぞれは、スペーサ本体２０１と同じ内径で、底面１０３の幅よりも大きな外径を有する。これにより、電線２が溝部１００に収容された状態で、つば部２０２，２０２のそれぞれは、碍子本体１０の表面に当接する。したがって、つば部２０２，２０２のそれぞれは、溝部１００に収容された電線２の軸方向への移動を規制する。
【００３６】
本実施形態に係るストッパ付きピン碍子１の構成については以上の通りであり、次に、本実施形態に係るストッパ付きピン碍子１の作用について説明する。
【００３７】
まず、スペーサ２０が、電線２の周面に巻き付けられる。具体的に、スペーサ２０は、電線２の軸方向で、溝部１００への収容位置に合わせて巻き付けられる。スペーサ２０を巻き付けられた電線２は、電線２の軸方向に沿う溝部１００の開口から、溝部１００内部に収容される。
【００３８】
より詳述すると、溝部１００の開口から径方向を挿入方向として挿入された電線２（スペーサ２０）は、碍子本体１０の上面から垂下される壁面１０１及び壁面１０２に沿って移動される。次に、電線２（スペーサ２０）は、壁面１０１の上方を向く水平面（水平方向に延びる面）及び壁面１０２の下方を向く水平面（水平方向に延びる面）の間を通る。そして、電線２は、上方を向く水平面から底面に向けて屈曲する壁面１０１と、下方を向く水平面から底面に向けて屈曲する壁面１０２との間を通る。最終的に、スペーサ２０は、底面１０３に当接し、電線２は、スペーサ２０を介して底面１０３に当接する。
【００３９】
次に、把持部３０３が間接活線工具により把持されて、ストッパ本体３０１が、電線２の軸方向に沿う方向を挿入方向として、溝部１００に挿入される。具体的に、スペーサ２０は、電線２の軸方向に沿う方向を挿入方向として、壁面１０１の水平面及び壁面１０２の水平面の間に挿入される。ストッパ３０が溝部１００に挿入されると、膨出部３０４は、壁面１０２の水平面及びストッパ本体３０１の間で押しつぶされる。そして、ストッパ本体３０１は、碍子本体１０（壁面１０２及び碍子本体１０の境界位置）に突片３０２を当接するまで挿入される。
【００４０】
この状態で、電線２は、垂直方向に延びる壁面１０１及び壁面１０２の間に収容されていることから、水平方向への移動を壁面１０１及び壁面１０２により規制される。また、電線２は、底面１０３に当接することで、下方への移動を規制される。そして、電線２は、上方への移動（碍子本体１０から脱落する方向への移動）に対して、ストッパ本体３０１の表面に当接することで、上方への移動を規制される。具体的に、電線２が上方に移動すると、ストッパ本体３０１の表面に当接する。ストッパ本体３０１は、電線２が上方に向けて移動して衝突する。これにより、ストッパ３０は、上方に向けて移動しようとするが、移動方向に存在する壁面１０２の下方を向く水平面により、上方への移動を規制される。すなわち、ストッパ３０は、上方への移動を規制されることで、溝部１００（碍子本体１０）から脱落することを防止される。したがって、電線２が上下左右のいずれの方向に動いたとしても、溝部１００及びストッパ３０は、碍子本体１０からの電線２の脱落を効果的に防止できる。
【００４１】
以上より、本実施形態に係るストッパ付きピン碍子１は、収容する電線２の軸方向に沿って表面の一部を開口し、且つ開口から底面１０３にかけて少なくとも一部で屈曲した壁面１０１，１０２で形成され、開口から挿入される電線２を底面１０３に当接して収容可能な溝部１００を有する碍子本体１０と、溝部１００に挿入されて溝部１００から脱落しようとする電線２の脱落方向に存在する壁面１０１，１０２に当接して溝部１００を封鎖するストッパ３０とを備える。
【００４２】
本実施形態に係るストッパ付きピン碍子１によれば、碍子本体１０は、収容する電線２の軸方向に、溝部１００の開口を合わせて設置される。電線２は、このように設置された碍子本体１０の開口から、径方向を挿入方向として溝部１００に収容される。このとき、電線２は、開口から底面１０３にかけて屈曲する壁面１０１，１０２に沿って底面１０３に当接するように移動されることで溝部１００に収容される。
【００４３】
溝部１００に収容された電線２は、線路の角度や、線路に沿って並設されるピン碍子の高低差等を要因として、壁面１０１，１０２に沿って碍子本体１０から脱落しようとする。具体的に、脱落しようとする電線２は、底面１０３に隣接する壁面１０１，１０２に沿って移動しようとする。このとき、壁面１０１，１０２が開口から底面１０３にかけて少なくとも一部で屈曲しているので、移動しようとする電線２は、移動方向（脱落方向）に存在し、且つ屈曲位置に隣接する壁面１０１，１０２に衝突する。これにより、電線２は、移動方向に存在し、且つ屈曲位置に隣接する壁面１０１，１０２に脱落しようとする力を作用させる。ここで、電線２が衝突する壁面１０１，１０２に当接しつつ、開口を封鎖するストッパ３０が溝部１００に挿入されていると、電線２の離脱しようとする力は、電線２の衝突によりストッパ３０に作用する。すると、スペーサ２０は電線２の衝突した方向に向けて移動しようとするが、ストッパ３０が移動方向に存在する（当接する）壁面１０１，１０２により支持されるので、ストッパ３０は、挿入された位置から動くことはない。したがって、ストッパ３０が溝部１００から脱落することを防止できる。すなわち、バインド線を用いることなく電線２を固定でき、電線２がピン碍子から脱落することを十分に防止できる。
【００４４】
このようなストッパ付きピン碍子１の一態様として、溝部１００は、屈曲位置から垂直方向に延びる壁面１０１，１０２に隣接する底面を有する。
【００４５】
かかる構成によれば、電線２は、屈曲位置から垂直方向に延びる壁面１０１，１０２に沿って移動し、底面１０３に当接することで、底面１０３に隣接する壁面１０１，１０２により水平方向への移動を規制される。また、電線２は、自重により、底面１０３に当接する状態に維持される。このように、電線２が底面１０３に当接する状態で位置決めされることで、ストッパ３０の挿入において、ストッパ３０の挿入位置に電線２が移動することがない。したがって、電線２を碍子本体１０に固定する作業の作業性が向上する。
【００４６】
また、このようなストッパ付きピン碍子１の一態様として、ストッパ３０は、挿入方向の後端縁から挿入方向に交差する方向に突出し、碍子本体１０の表面に当接することでストッパ３０の挿入方向への移動を規制する突片３０２を有する。
【００４７】
かかる構成によれば、突片３０２が碍子本体１０の表面に当接することで、ストッパ３０は、挿入方向に移動することを規制される。これにより、ストッパ３０を挿入しすぎることを防止でき、作業性が向上する。
【００４８】
また、このようなストッパ付きピン碍子１の一態様として、ストッパ３０は、弾性材料で形成されて溝部１００への挿入により壁面１０１，１０２に当接する面から膨出し、溝部１００への挿入とともに壁面１０１，１０２に当接することで弾性変形する膨出部３０４を有する。
【００４９】
かかる構成によれば、ストッパ３０が溝部１００に挿入されることで、膨出部３０４は、溝部１００の表面（壁面１０１，１０２）への当接により弾性変形して押しつぶされる。これにより、溝部１００に挿入されたストッパ３０と壁面１０１，１０２との間の摩擦係数を高くすることができ、ストッパ３０が溝部１００から脱落することをより防止することができる。
【００５０】
なお、本発明に係るストッパ付きピン碍子は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００５１】
例えば、本実施形態に係るストッパ付きピン碍子１においては、壁面１０１及び壁面１０２は、少なくとも一箇所で屈曲し、ストッパ３０が脱落方向で規制される構成であれば、種々の面の構成を有してもよい。
【００５２】
一例として、図５（ａ）及び図５（ｂ）に示すように、溝部１００は、垂直方向に形成された底面１０３を有してもよい。具体的に、壁面１０１は、水平方向の先端で、底面１０３の一方の幅方向端縁に接続され、壁面１０２は、水平方向の先端で、底面１０３の他方の幅方向端縁に接続されてもよい。すなわち、上記実施形態において、壁面１０１及び壁面１０２の水平方向から垂下される部分を除去してもよい。
【００５３】
このような構成において、電線２（スペーサ２０）は、開口から挿入されて、壁面１０１の上方を向く水平面に当接するまで移動される。そして、電線２（スペーサ２０）は、底面１０３に当接するまで水平方向に移動される。ストッパ３０は、電線２（スペーサ２０）及び壁面１０１の垂直方向の面の間に挿入され、碍子本体１０の表面（碍子本体１０及び壁面１０１の境界）に突片３０２が当接することで、挿入方向への移動を規制される。このような構成で、電線２（スペーサ２０）が水平方向（脱落方向）に移動したとしても、電線２（スペーサ２０）は、ストッパ３０により移動を規制される。ストッパ３０は、脱落方向に存在する壁面１０１の垂直方向の面により移動を規制されるので、電線２（スペーサ２０）の溝部１００（碍子本体１０）からの脱落を防止することができる。また、壁面１０１及び壁面１０２は、傾斜する面を有する構成としてもよいことはもちろんである。
【００５４】
また、上記実施形態に係るストッパ付きピン碍子１において、膨出部３０４は、ストッパ本体３０１の一方の面に形成されることを例示した。これに対して、膨出部３０４がストッパ３０の挿入を阻害しなければ、壁面１０１及び壁面１０２に当接する面の全て又は複数の面に形成されていてもよい。これにより、ストッパ３０が溝部１００に挿入された状態で強固に溝部１００に圧着されるので、ストッパ３０及び電線２（スペーサ２０）の脱落をより効果的に防止できる。
【００５５】
また、上記実施形態に係るストッパ付きピン碍子１において、突片３０２は、ストッパ本体３０１の挿入方向後端縁で、幅方向一方に突出することを例示した。これに対して、突片３０２は、幅方向両方のそれぞれから突出するとしてもよい。ただし、図５（ａ）及び図５（ｂ）に示すように、電線２（スペーサ２０）がストッパ本体３０１の側方に挿入されるような場合には、この限りではない。
【００５６】
また、上記実施形態に係るストッパ付きピン碍子１において、ストッパ本体３０１は、壁面１０１，１０２間の水平方向を完全に閉塞する幅で設けられたが、底面１０３の幅と同じ幅で、底面１０３の上方に存在する壁面１０２の壁面に当接するように設けられても良い。このように、少なくとも、電線２が脱落する際に、ストッパ３０が電線２に衝突する位置に存在し、且つ電線２の衝突方向に存在する壁面１０２でストッパ３０が支持される構成であれば、ストッパ本体３０１に種々の形状を採用できる。
【符号の説明】
【００５７】
１      ストッパ付きピン碍子
２      電線
１０    碍子本体
１１    棒状部
２０    スペーサ
３０    ストッパ
１００  溝部
１０１，１０２  壁面
１０３  底面
２０１  スペーサ本体
２０２  つば部
３０１  ストッパ本体
３０２  突片
３０３  把持部
３０４  膨出部
【図１】
2015088404.tif 000003
【図２】
2015088404.tif 000004
【図３】
2015088404.tif 000005
【図４】
2015088404.tif 000006
【図５】
2015088404.tif 000007